(57)【要約】【課題】  ケースの開口部に係止片を設けた電子機器の組付作業を容易にすること【解決手段】  電子機器の組付治具は、蓋６、電子基板２の順に重ねて載置する基板載置部２４を備えた基部１１と、基部１１を囲み、基部１１に対して上下に摺動可能に取り付けられ、基部１１の基板載置部２４に対して、開口部４を下向きにしてケース１を載置するケース載置部３３を備えたケース載置部材１２と、基板載置部２４に蓋６及び電子基板２が載置される位置よりも、ケース載置部３３にケース１が上方に載置されるように、ケース載置部材１２を常時上方に付勢するばね１３とを備え、基部１１に蓋６と電子基板２を順に重ねて載置し、ケース載置部材１２に載置したケース１をばね１３の弾性反力に抗して下方に押し込むことにより、蓋６をケース１の開口部４に嵌合固定するものである。【選択図】  図３
2006150465.tif 000002
【特許請求の範囲】
【請求項１】
ケース内の所定位置に電子基板を収容し、電子基板に蓋を被せ、ケースの開口部に設けた係止片で蓋をケースの開口部に嵌合固定した電子機器の組付治具において、
前記蓋、電子基板の順に重ねて載置する基板載置部を備えた基部と、
前記基部を囲み、基部に対して上下に摺動可能に取り付けられ、前記基部の基板載置部に対して、開口部を下向きにしてケースを載置するケース載置部を備えたケース載置部材と、
前記基板載置部に蓋及び電子基板が載置される位置よりも、前記ケース載置部にケースが上方に載置されるように、前記ケース載置部材を常時上方に付勢するばねとを備え、
前記基部に蓋と電子基板を順に重ねて載置し、ケース載置部材に載置したケースをばねの弾性反力に抗して下方に押し込むことにより、電子基板をケースの所定位置に収容し、蓋をケースの開口部に嵌合固定することを特徴とする電子機器の組付治具。
【発明の詳細な説明】
【技術分野】
【０００１】
本発明は電子機器の組付治具に関するものである。
【背景技術】
【０００２】
近年、自動車にはエンジンコントロールユニット（ＥＣＵ）などの電子機器（電子制御装置）が搭載されている。これらの電子機器は、各種電子回路部品を搭載した電子基板をケースと蓋とからなる箱体に固定したものであり、例えば、特開平８−１９５５６８号公報に記載されているように、箱体に順にねじで組付けたものが知られている。
【特許文献１】特開平８−１９５５６６８号公報
【発明の開示】
【発明が解決しようとする課題】
【０００３】
自動車に装備される電子機器では箱体を構成する蓋や箱体内の電子基板をそれぞれねじで固定している。電子機器内に取り付けられるねじは、エンジンの振動などを受けてねじが緩む可能性がある。電子機器は、仮にねじが脱落しても、ねじが電子機器内を転がり、電子機器に不具合を生じさせることがないように、ねじを取り付ける位置の周囲に壁を設け、ねじが転がるスペースを与えていないものもある。しかし、さらに蓋をケースに固定しているねじが緩むと電子機器内にスペースが生じ、電子機器内でねじが転動し、不具合が生じるおそれがある。
【課題を解決するための手段】
【０００４】
本発明者らは、上記懸念を鑑み、蓋をケースに固定しているねじの緩みが生じた場合でも電子機器内にねじが転がるスペースを与えないようにするため、図１、図２に示すように、ケース１の内側面に電子基板２を位置決めする着座部３を設け、ケース１の開口部４に係止片５を設け、蓋６及び電子基板２をケース１の開口部４に嵌合固定してからねじ７で固定することを考えた。この場合、電子機器８内にねじを取り付けた場合に、取り付けたねじ７が脱落し、さらに蓋６をケース１に固定しているねじ７が緩んでも、蓋６はケース１に嵌合固定され、電子機器８内でねじ７が転動するスペースが生じないので、電子機器８に不具合が生じることはない。
【０００５】
しかし、このようにした場合、ケース１の開口部４に設けた係止片５に蓋６を嵌合させる作業が必要となり組付作業が繁雑になる。また、嵌合させる際に力を掛けることが必要であるから、作業者が誤って電子基板２に衝撃を与えるなどして、電子機器８に故障要因を生じさせることも考えられる。
【０００６】
そこで、本発明者らは、ケース１の開口部４に係止片５を設け、蓋６をケース１の開口部４に嵌合固定する電子機器８の組付作業を容易にするのに適した組付治具を考案した。
【０００７】
本発明に係る電子機器の組付治具は、蓋、電子基板の順に重ねて載置する基板載置部を備えた基部と、基部を囲み、基部に対して上下に摺動可能に取り付けられ、基部の基板載置部に対して、開口部を下向きにしてケースを載置するケース載置部を備えたケース載置部材と、基板載置部に蓋及び電子基板が載置される位置よりも、ケース載置部にケースが上方に載置されるように、ケース載置部材を常時上方に付勢するばねとを備え、基部に蓋と電子基板を順に重ねて載置し、ケース載置部材に載置したケースをばねの弾性反力に抗して下方に押し込むことにより、電子基板をケースの所定位置に収容し、蓋をケースの開口部に嵌合固定することを特徴とする。
【発明の効果】
【０００８】
この電子機器の組付治具によれば、基部に蓋と電子基板を載置し、ケース載置部材にケースを載置し、ケースを下方に押し込むだけでケースに電子基板を収容し、ケースの開口部に蓋を嵌合固定することができるので、組付作業が容易になる。また、ケース、電子基板、蓋が組付治具により、それぞれ組付けに適切な位置に位置決めされ、各係止片に略均等な力が加わり、これらが適切な力で押し込まれて嵌合されるので、作業者が誤って電子基板に衝撃を与えたり、電子機器に故障要因を生じさせたりすることはない。
【発明を実施するための最良の形態】
【０００９】
以下、本発明の一実施形態に係る電子機器の組付治具を図面に基づいて説明する。
【００１０】
この組付治具１０は、図３に示すように、蓋６と電子基板２を載置する基部１１と、ケース１を載置するケース載置部材１２と、基部１１とケース載置部材１２との間に配設したばね１３で構成されている。
【００１１】
基部１１は、土台２１と足部２２とテーブル部２３とを備えたテーブル状の部材で、テーブル部２３の上面に蓋６と電子基板２を載置する基板載置部２４を備えている。
【００１２】
ケース載置部材１２は、基部１１のテーブル部２３を囲む略長方形の壁３１を備えた部材で、テーブル部２３の下面において基部１１の足部２２にガイドされる摺動部３２を備えており、基部１１に対して上下に摺動可能に取り付けられている。ケース載置部材１２の壁３１の内周面には、開口部４を下向きにしてケース１を載置するケース載置部３３を備えている。
【００１３】
この実施形態では、ケース載置部材１２の壁３１は、基板載置部２４を囲み、基板載置部２４に載置された蓋６と電子基板２を位置決めする機能を備えている。また、ケース載置部３３は開口部４を下に向けてケース１を載置すべく、ケース載置部材１２の壁３１にケース１の上側縁を支持する段差を設けている。また、ケース載置部材１２の壁３１には、ケース１の開口部４に係止片５が設けられた位置に対応して、ケース載置部材１２の壁３１の内側面を外側に窪ませて、ケース１に蓋６を嵌合固定する際に、係止片５が外側に変形するのを許容する隙間３４を形成している。
【００１４】
ばね１３は基部１１の足部２２に、基部１１の土台２１とケース載置部材１２の下面との間に圧縮した状態で装着している。このばね１３の弾性反力により、ケース載置部材１２は、図３に示すように、常時上方に付勢されており、基板載置部２４に載置された蓋６及び電子基板２よりも上に、ケース載置部材１２に載置されたケース１が位置している。
【００１５】
この組付治具１０によれば、作業者は基板載置部２４に蓋６と電子基板２をそれぞれケース１の内側に配設される面を上に向けて、蓋６、電子基板２の順に載置し、次いで、ケース載置部３３にケース１を開口部４を下に向けて載置する。この際、ケース１、電子基板２、蓋６は、自動的にそれぞれ組付けに適切な所定の位置に位置決めされる。
【００１６】
そして、図４に示すように、作業者はケース載置部材１２に載置したケース１をばね１３の弾性反力に抗して下方に押し込むことにより、ケース１に電子基板２を収容し、ケース１の開口部４に蓋６を嵌合固定することができる。
【００１７】
この組付治具１０によれば、作業者は、蓋６、電子基板２、ケース１をそれぞれ所定の場所に設置し、ケース１に蓋６が嵌まるところまで、ケース１を押し込めばよいので、組付作業が容易になる。斯かる組付作業において、蓋６、電子基板２、ケース１がそれぞれ組付けに適切な位置に載置され、その状態で適切な力で嵌合固定されるので、作業者が誤って電子機器に衝撃を与えたり、電子機器に故障要因を生じさせたりすることはない。
【００１８】
以上、本発明の一実施形態に係る電子機器の組付治具を説明したが、本発明は上記の実施形態に限定されるものではない。
【００１９】
例えば、電子基板２を一枚収容するものを例示したが、収容する電子基板２は複数枚重ねたものでもよい。この場合、収容する複数枚の電子基板２をスペーサなどを介して重ね合わせ、ねじなどで固定してもよい。
【図面の簡単な説明】
【００２０】
【図１】ケースに係止片を備えた電子機器の構成例を示す斜視図。
【図２】ケースに係止片を備えた電子機器の断面図。
【図３】本発明の一実施形態に係る電子機器の組付治具を示す断面図。
【図４】本発明の一実施形態に係る電子機器の組付治具の動作を示す断面図。
【符号の説明】
【００２１】
１     ケース
２     電子基板
３     着座部
４     開口部
５     係止片
６     蓋
８     電子機器
１０   組付治具
１１   基部
１２   ケース載置部材
２１   土台
２２   足部
２３   テーブル部
２４   基板載置部
３１   壁
３２   摺動部
３３   ケース載置部
３４   隙間
【図１】
2006150465.tif 000003
【図２】
2006150465.tif 000004
【図３】
2006150465.tif 000005
【図４】
2006150465.tif 000006